【手続補正書】
【提出日】平成19年10月12日(2007.10.12)
【手続補正１】
【補正対象書類名】明細書
【補正対象項目名】発明の名称
【補正方法】変更
【補正の内容】
【発明の名称】情報通信システム、移動体通信端末および制御方法
【手続補正２】
【補正対象書類名】明細書
【補正対象項目名】特許請求の範囲
【補正方法】変更
【補正の内容】
【特許請求の範囲】
【請求項１】  情報管理サーバからの情報を、移動体通信端末を介して、表示装置に中継する情報通信システムであって、
前記情報管理サーバは、
ダイジェスト情報と前記ダイジェスト情報に対応し、かつ、対応する前記ダイジェスト情報よりも情報量の多い情報である詳細情報を複数記憶する第１記憶手段と、
前記ダイジェスト情報を送信した後、前記複数の詳細情報のうち、返信される取得情報により特定される前記詳細情報を送信する第１送信手段とを備え、
前記移動体通信端末は、
前記情報管理サーバから受信した前記ダイジェスト情報を記憶する第２記憶手段と、
前記ダイジェスト情報を表示する第１表示手段と、
前記ダイジェスト情報に対応する前記詳細情報を取得するための取得情報を送信する第２送信手段とを備え、
前記表示装置は、前記情報管理サーバから送信され、前記取得情報により特定される前記詳細情報を表示する第２表示手段を備える、情報通信システム。
【請求項２】  前記第２表示手段が表示可能な情報量は、前記第１表示手段が表示可能な情報量より多い、請求項１に記載の情報通信システム。
【請求項３】  前記移動体通信端末は、さらに、ユーザよりの操作を受付ける操作手段を備え、
前記第１表示手段は、前記ダイジェスト情報を複数表示し、
前記複数のダイジェスト情報の各々は、前記操作手段への操作に応じて指定される選択肢である、請求項１または２に記載の情報通信システム。
【請求項４】  前記移動体通信端末は、さらに、
ユーザよりの操作を受付ける操作手段と、
前記表示装置と通信を行なうための近距離通信手段と、
前記第２表示手段により前記詳細情報が表示された後における、前記操作手段への操作に応じて、前記近距離通信手段が行なう前記表示装置との双方向通信により、前記表示装置を制御するための処理を行なう制御手段とを備える、請求項１または２に記載の情報通信システム。
【請求項５】  前記第１送信手段は、前記第１記憶手段に記憶されている詳細情報が更新された場合、更新された前記詳細情報に対応するダイジェスト情報を送信する、請求項１〜４のいずれかに記載の情報通信システム。
【請求項６】  前記第１送信手段は、所定のタイミングで、前記第１記憶手段に記憶されている前記詳細情報に対応するダイジェスト情報を送信する、請求項１〜４のいずれかに記載の情報通信システム。
【請求項７】  前記移動体通信端末の前記第２送信手段は、ハイパーリンク情報を、前記表示装置へ送信し、
前記第２表示手段は、前記ハイパーリンク情報を表示する、請求項１〜６のいずれかに記載の情報通信システム。
【請求項８】  前記移動体通信端末は、前記情報管理サーバから送信されたプログラムコードを受信し、
前記移動体通信端末の前記第２送信手段は、受信した前記プログラムコードを、前記表示装置へ送信し、
前記表示装置は、さらに、前記移動体通信端末からの前記プログラムコードを実行する実行手段を備える、請求項１〜７のいずれかに記載の情報通信システム。
【請求項９】  情報管理サーバからの情報を表示装置に中継することにより、前記情報管理サーバに記憶された詳細情報を前記表示装置の表示部に表示させるための移動体通信端末であって、前記情報管理サーバは、ダイジェスト情報と前記ダイジェスト情報に対応し、かつ、対応する前記ダイジェスト情報よりも情報量の多い情報である前記詳細情報を複数記憶し、前記ダイジェスト情報を送信した後、前記複数の詳細情報のうち、返信される取得情報により特定される前記詳細情報を送信するものであり、
前記情報管理サーバとの間で通信を行なうための通信手段と、
前記情報管理サーバから受信した前記ダイジェスト情報を記憶する記憶手段と、
前記ダイジェスト情報を表示する表示手段と、
前記表示装置の前記表示部に表示される情報に対するユーザよりの操作を受付ける操作手段と、
前記ユーザよりの操作に応じた情報を前記表示装置に送信するための近距離通信手段と、
前記移動体通信端末の動作を制御するための制御手段とを備え、
前記制御手段は、前記操作手段への操作に応じて指定された前記ダイジェスト情報に対応づけられ、前記表示装置の前記表示部で表示するための前記詳細情報を特定する前記取得情報を送信する処理を行なう、移動体通信端末。
【請求項１０】  前記表示装置の前記表示部が表示可能な情報量は、前記表示手段が表示可能な情報量より多い、請求項９に記載の移動体通信端末。
【請求項１１】  前記表示手段は、前記ダイジェスト情報を複数表示し、
前記複数のダイジェスト情報の各々は、前記操作手段への操作に応じて指定される選択肢である、請求項９または１０に記載の移動体通信端末。
【請求項１２】  前記制御手段は、前記表示装置の前記表示部により前記詳細情報が表示された後における、前記操作手段への操作に応じて、前記近距離通信手段が行なう前記表示装置との双方向通信により、前記表示装置を制御するための処理を行なう、請求項９〜１１のいずれかに記載の移動体通信端末。
【請求項１３】  前記近距離通信手段は、ハイパーリンク情報を、前記表示装置へ送信する、請求項９〜１２のいずれかに記載の移動体通信端末。
【請求項１４】  前記通信手段は、前記情報管理サーバから送信されたプログラムコードを受信し、
前記移動体通信端末の近距離通信手段は、受信した前記プログラムコードを、前記表示装置へ送信する、請求項９〜１３のいずれかに記載の移動体通信端末。
【請求項１５】  ダイジェスト情報と前記ダイジェスト情報に対応し、かつ、対応する前記ダイジェスト情報よりも情報量の多い情報である詳細情報を複数記憶する情報管理サーバからの情報を、前記情報管理サーバから受信したダイジェスト情報を記憶し、かつ、情報を表示するための第１表示部を備える移動体通信端末を介して、情報を表示するための第２表示部を備える表示装置に中継する情報通信システムにおいて、前記情報管理サーバからの情報を前記表示装置に表示させるための制御方法であって、
前記情報管理サーバが、前記ダイジェスト情報を送信した後、前記複数の詳細情報のうち、返信される取得情報により特定される前記詳細情報を送信するステップと、
前記移動体通信端末が、前記ダイジェスト情報を前記第１表示部に表示するステップと、
前記移動体通信端末が、前記ダイジェスト情報に対応する前記詳細情報を取得するための取得情報を送信するステップと、
前記表示装置が、前記情報管理サーバから送信され、前記取得情報により特定される前記詳細情報を前記第２表示部に表示するステップとを備える、制御方法。
【請求項１６】  前記第２表示部が表示可能な情報量は、前記第１表示部が表示可能な情報量より多い、請求項１５に記載の制御方法。
【請求項１７】  前記移動体通信端末が、ハイパーリンク情報を、前記表示装置へ送信するステップをさらに備える、請求項１５または１６に記載の制御方法。
【請求項１８】  前記移動体通信端末が、前記情報管理サーバから送信されたプログラムコードを受信するステップと、
前記移動体通信端末が、受信した前記プログラムコードを、前記表示装置へ送信するステップと、
前記表示装置が、前記移動体通信端末からの前記プログラムコードを実行するステップとをさらに備える、請求項１５〜１７のいずれかに記載の制御方法。
【手続補正３】
【補正対象書類名】明細書
【補正対象項目名】０００１
【補正方法】変更
【補正の内容】
【０００１】
【発明の属する技術分野】
本発明は、移動体通信端末を利用した情報通信システムと、移動体通信端末と、制御方法とに係り、より詳細には、移動体通信端末である携帯電話機と表示装置であるデジタルテレビとを連携させることで、表示画面のサイズに制限のある携帯電話機を、画面サイズの大きいデジタルテレビで補完する構成とすることにより、通信端末としての携帯電話機の利用可能性の拡大を図った移動体通信端末を利用した情報通信システムと、移動体通信端末と、制御方法とに関する。
【手続補正４】
【補正対象書類名】明細書
【補正対象項目名】０００５
【補正方法】変更
【補正の内容】
【０００５】
本発明はかかる問題点を解決すべく創案されたもので、その目的は、携帯電話機とデジタルテレビとを連携させることで、表示画面のサイズに制限のある携帯電話機を、画面サイズの大きいデジタルテレビで補完する構成とすることにより、表示画面サイズの問題を解消して、通信端末としての携帯電話機の利用可能性の拡大を図った移動体通信端末を利用した情報通信システムと、移動体通信端末と、制御方法とを提供することにある。
【手続補正５】
【補正対象書類名】明細書
【補正対象項目名】０００６
【補正方法】変更
【補正の内容】
【０００６】
【課題を解決するための手段】
上記課題を解決するため、この発明のある局面に従うと、情報管理サーバからの情報を、移動体通信端末を介して、表示装置に中継する情報通信システムであって、情報管理サーバは、ダイジェスト情報とダイジェスト情報に対応し、かつ、対応するダイジェスト情報よりも情報量の多い情報である詳細情報を複数記憶する第１記憶手段と、ダイジェスト情報を送信した後、複数の詳細情報のうち、返信される取得情報により特定される詳細情報を送信する第１送信手段とを備え、移動体通信端末は、情報管理サーバから受信したダイジェスト情報を記憶する第２記憶手段と、ダイジェスト情報を表示する第１表示手段と、ダイジェスト情報に対応する詳細情報を取得するための取得情報を送信する第２送信手段とを備え、表示装置は、情報管理サーバから送信され、取得情報により特定される詳細情報を表示する第２表示手段を備える。
好ましくは、第２表示手段が表示可能な情報量は、第１表示手段が表示可能な情報量より多い。
好ましくは、移動体通信端末は、さらに、ユーザよりの操作を受付ける操作手段を備え、第１表示手段は、ダイジェスト情報を複数表示し、複数のダイジェスト情報の各々は、操作手段への操作に応じて指定される選択肢である。
好ましくは、移動体通信端末は、さらに、ユーザよりの操作を受付ける操作手段と、表示装置と通信を行なうための近距離通信手段と、第２表示手段により詳細情報が表示された後における、操作手段への操作に応じて、近距離通信手段が行なう表示装置との双方向通信により、表示装置を制御するための処理を行なう制御手段とを備える。
好ましくは、第１送信手段は、第１記憶手段に記憶されている詳細情報が更新された場合、更新された詳細情報に対応するダイジェスト情報を送信する。
好ましくは、第１送信手段は、所定のタイミングで、第１記憶手段に記憶されている詳細情報に対応するダイジェスト情報を送信する。
好ましくは、移動体通信端末の第２送信手段は、ハイパーリンク情報を、表示装置へ送信し、第２表示手段は、ハイパーリンク情報を表示する。
好ましくは、移動体通信端末は、情報管理サーバから送信されたプログラムコードを受信し、移動体通信端末の第２送信手段は、受信したプログラムコードを、表示装置へ送信し、表示装置は、さらに、移動体通信端末からのプログラムコードを実行する実行手段を備える。
この発明の他の局面に従うと、情報管理サーバからの情報を表示装置に中継することにより、情報管理サーバに記憶された詳細情報を表示装置の表示部に表示させるための移動体通信端末であって、情報管理サーバは、ダイジェスト情報とダイジェスト情報に対応し、かつ、対応するダイジェスト情報よりも情報量の多い情報である詳細情報を複数記憶し、ダイジェスト情報を送信した後、複数の詳細情報のうち、返信される取得情報により特定される詳細情報を送信するものであり、移動体通信端末は、情報管理サーバとの間で通信を行なうための通信手段と、情報管理サーバから受信したダイジェスト情報を記憶する記憶手段と、ダイジェスト情報を表示する表示手段と、表示装置の表示部に表示される情報に対するユーザよりの操作を受付ける操作手段と、ユーザよりの操作に応じた情報を表示装置に送信するための近距離通信手段と、移動体通信端末の動作を制御するための制御手段とを備え、制御手段は、操作手段への操作に応じて指定されたダイジェスト情報に対応づけられ、表示装置の表示部で表示するための詳細情報を特定する取得情報を送信する処理を行なう。
好ましくは、表示装置の表示部が表示可能な情報量は、表示手段が表示可能な情報量より多い。
好ましくは、表示手段は、ダイジェスト情報を複数表示し、複数のダイジェスト情報の各々は、操作手段への操作に応じて指定される選択肢である。
好ましくは、制御手段は、表示装置の表示部により詳細情報が表示された後における、操作手段への操作に応じて、近距離通信手段が行なう表示装置との双方向通信により、表示装置を制御するための処理を行なう。
好ましくは、近距離通信手段は、ハイパーリンク情報を、表示装置へ送信する。
好ましくは、通信手段は、情報管理サーバから送信されたプログラムコードを受信し、移動体通信端末の近距離通信手段は、受信したプログラムコードを、表示装置へ送信する。
この発明のさらに他の局面に従うと、ダイジェスト情報とダイジェスト情報に対応し、かつ、対応するダイジェスト情報よりも情報量の多い情報である詳細情報を複数記憶する情報管理サーバからの情報を、情報管理サーバから受信したダイジェスト情報を記憶し、かつ、情報を表示するための第１表示部を備える移動体通信端末を介して、情報を表示するための第２表示部を備える表示装置に中継する情報通信システムにおいて、情報管理サーバからの情報を表示装置に表示させるための制御方法は、情報管理サーバが、ダイジェスト情報を送信した後、複数の詳細情報のうち、返信される取得情報により特定される詳細情報を送信するステップと、移動体通信端末が、ダイジェスト情報を第１表示部に表示するステップと、移動体通信端末が、ダイジェスト情報に対応する詳細情報を取得するための取得情報を送信するステップと、表示装置が、情報管理サーバから送信され、取得情報により特定される詳細情報を第２表示部に表示するステップとを備える。
好ましくは、第２表示部が表示可能な情報量は、第１表示部が表示可能な情報量より多い。
好ましくは、移動体通信端末が、ハイパーリンク情報を、表示装置へ送信するステップをさらに備える。
好ましくは、移動体通信端末が、情報管理サーバから送信されたプログラムコードを受信するステップと、移動体通信端末が、受信したプログラムコードを、表示装置へ送信するステップと、表示装置が、移動体通信端末からのプログラムコードを実行するステップとをさらに備える。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００７９
【補正方法】変更
【補正の内容】
【００７９】
以上説明したように、情報管理サーバ３では、各顧客に送信した広告情報によって、顧客が実際に関連情報をアクセスしたことや、実際に店舗に来店したことや、携帯電話機１を介してまたは来店して商品を購入したことなどを、顧客単位で把握することが可能となる。そのため、従来は、実際に購入しなければ把握できなかった顧客の購入動向や意向を把握することができる。また、広告の料金請求に関しても、実際の売上への寄与の度合いから判断することが可能となる。
本発明の移動体通信端末を利用した情報通信システムによれば、移動体通信端末である携帯電話機と表示措置であるデジタルテレビとを連携し、表示画面のサイズに制限のある携帯電話機を、画面サイズの大きいデジタルテレビで補完することにより、携帯電話機特有の問題である表示画面サイズの制限を解消することができる。これにより、通信端末としての携帯電話機の利用可能性を拡大することができる。
本発明によれば、携帯電話機で受信した情報を、近傍通信手段を介してデジタルテレビに転送し、デジタルテレビの画面に表示することにより、携帯電話機で受信した文字情報、画像情報、動画情報、音声情報、プログラムコードなどの詳細情報も表示および実行可能となる。
また、本発明の移動体通信端末を利用した情報通信システムは、各種広告情報を収集、管理する情報管理サーバと、移動体通信端末とが通信ネットワークを介して接続可能に設けられており、情報管理サーバは、管理している広告情報を、任意のタイミングで前記通信ネットワークを介して前記移動体通信端末に送信することを特徴とする。また、移動体通信端末は、情報管理サーバから送信されてきた広告情報を、各近傍通信手段を介して表示装置に転送して表示することを特徴とする。
本発明によれば、情報管理サーバから移動体通信端末である携帯電話機に対して送信する情報量が多い場合（文字情報、画像情報、動画情報、音声情報、プログラムコードなど）でも、これを受信した携帯電話機は、その受信情報をデジタルテレビに転送して表示および実行することができる。
また、本発明の移動体通信端末を利用した情報通信システムによれば、表示内容に従った操作を移動体通信端末で行うことにより、移動体通信端末から情報管理サーバに対して発注情報の送信が可能であることを特徴とする。
本発明によれば、移動体通信端末の使用者は、表示装置であるデジタルテレビに表示された広告情報を見ながら、移動体通信端末である携帯電話機のボタン操作を行うことにより、携帯電話機から情報管理サーバに対して自動的に発注処理を行うことが可能となる。すなわち、携帯電話機をテレビのリモコン感覚で使用できるので、発注処理が極めて容易なものとなる。
また、本発明の移動体通信端末を利用した情報通信システムによれば、情報管理サーバは、移動体通信端末の所有者である顧客の情報を格納した顧客データベースと、その顧客の家族情報を格納した家族情報データベースと、広告情報を格納した広告情報データベースとを備えており、顧客データベースには、その顧客の所有する移動体通信端末からの広告情報のアクセス履歴が保存されていることを特徴とする。
本発明によれば、広告依頼者は、広告情報へのアクセス履歴を参照することにより、その広告の有効性を評価することができ、その後の販売戦略の参考資料とすることができる。
また、本発明の移動体通信端末を利用した情報通信システムによれば、広告情報データベースには、広告の配信先である顧客を選択する選択情報が含まれており、情報管理サーバは、この選択情報と顧客データベースに格納されている顧客情報とに基づいて、該当する広告情報を、選択された顧客の所有する移動体通信端末に送信することを特徴とする。
本発明によれば、広告の配信先である顧客の選択情報として、例えば、宝石類の広告であれば、２０才以上の女性といった選択情報を広告情報に含ませておくことにより、情報管理サーバでは、この条件にある顧客を顧客データベースから抽出し、その抽出した顧客の所有する移動体通信端末にのみ、宝石類の広告情報を送信することができる。すなわち、広告情報の送信先を、広告依頼者側である程度絞り込むことができるので、効率の良い広告活動を行うことが可能となる。
また、本発明の移動体通信端末を利用した情報通信システムによれば、各店舗に設置された端末装置が通信ネットワークを介して情報管理サーバに接続可能に設けられており、この端末装置に、移動体通信端末の近傍通信手段から送信される情報を受信可能な近傍通信手段が設けられ、この近傍通信手段にて受信した移動体通信端末からの識別情報を、端末装置および通信ネットワークを介して情報管理サーバに送信し、情報管理サーバは、この送信されてきた識別情報に基づいて、顧客データベースの来店履歴または購買履歴を記録することを特徴とする。
本発明によれば、広告情報が例えば店舗等でのバーゲンセールであった場合、その広告情報にアクセスした顧客が、その後、店舗に来店すると、店舗に設置された端末装置の近傍通信手段と、来店した顧客が所持する携帯電話機（移動体通信端末）の近傍通信手段との間で識別情報の送受信が行われる。これにより、店舗側の端末装置は、この識別情報を情報管理サーバに送信することにより、情報管理サーバでは、該当する顧客データベースに顧客の来店を追加記録する。また、その顧客が商品を購入した場合には、端末装置によって代金の決済処理が行われるので、その情報を情報管理サーバに送信することにより、情報管理サーバでは、該当する顧客データベースに、その顧客の購入内容を購買履歴として追加記録する。これにより、店舗側では、来店した顧客が広告情報を見てきた顧客であるのかどうかをいちいちチェックしなくても、情報管理サーバの顧客データベースを参照することで、来店履歴や購買履歴が分かるので、広告の効果などを検証することができる。
【手続補正１８】
【補正対象書類名】明細書
【補正対象項目名】００８０
【補正方法】変更
【補正の内容】
【００８０】
【発明の効果】
本発明に係る情報通信システムによれば、表示画面サイズの制限を解消することができる。これにより、通信端末としての携帯電話機の利用可能性を拡大することができる。
また、本発明に係る移動体通信端末によれば、表示画面サイズの制限を解消することができる。これにより、通信端末の利用可能性を拡大することができる。
また、本発明に係る制御方法によれば、表示画面サイズの制限を解消することができる。これにより、通信端末の利用可能性を拡大することができる。
【手続補正１９】
【補正対象書類名】明細書
【補正対象項目名】００８１
【補正方法】削除
【補正の内容】
【手続補正２０】
【補正対象書類名】明細書
【補正対象項目名】００８２
【補正方法】削除
【補正の内容】
【手続補正２１】
【補正対象書類名】明細書
【補正対象項目名】００８３
【補正方法】削除
【補正の内容】
【手続補正２２】
【補正対象書類名】明細書
【補正対象項目名】００８４
【補正方法】削除
【補正の内容】
【手続補正２３】
【補正対象書類名】明細書
【補正対象項目名】００８５
【補正方法】削除
【補正の内容】